(57)【要約】【課題】  設置作業や取外作業の迅速化及び能率化を飛躍的に高めるとともに、設置時の高い安定性を確保し、加えて、部品点数を削減することにより保管や準備等の煩わしさを解消する。【解決手段】  植栽木Ｔを覆う植栽木カバー２を具備してなる植栽木用保護具１を構成するに際して、少なくとも、所定の合成樹脂素材Ｒにより形成し、かつ所定のメッシュを有するネット材Ｎを用いて筒形に変形可能に構成したカバー体３の面３ｉの一部を衝合わせ、軸方向Ｆｓに沿って縫合した仕切縫合部４ａを設けることにより、植栽木Ｔを覆う植栽木収容部５ａ及び支持ポール６を挿入するポール収容部５ｂを設けた植栽木カバー２を具備する。【選択図】  図１
2018143181.tif 000002
【特許請求の範囲】
【請求項１】
植栽木を覆う植栽木カバーを具備してなる植栽木用保護具において、少なくとも、所定の合成樹脂素材により形成し、かつ所定のメッシュを有するネット材を用いて筒形に変形可能に構成したカバー体の面の一部を衝合わせ、軸方向に沿って縫合した仕切縫合部を設けることにより、植栽木を覆う植栽木収容部及び支持ポールを挿入するポール収容部を設けた植栽木カバーを具備してなることを特徴とする植栽木用保護具。
【請求項２】
前記植栽木カバーは、一枚のネット材の両端辺部を本体縫合部により縫合することにより筒形に構成してなることを特徴とする請求項１記載の植栽木用保護具。
【請求項３】
前記ポール収容部は、上端部に、前記支持ポールの挿通を阻止する閉塞部を設けることを特徴とする請求項１記載の植栽木用保護具。
【請求項４】
前記植栽木収容部は、周方向の所定位置に、カバー体の面の一部を衝合わせることにより、軸方向に沿って縫合した少なくとも一以上の多重縫合部を設けてなることを特徴とする請求項１記載の植栽木用保護具。
【請求項５】
下部に、地面に差込む差込部を有するとともに、上部に、前記ポール収容部に挿入可能なポール本体部を有する支持ポールを備えてなることを特徴とする請求項１記載の植栽木用保護具。
【請求項６】
前記支持ポールは、上端に球面部を設けてなることを特徴とする請求項５記載の植栽木用保護具。
【発明の詳細な説明】
【技術分野】
【０００１】
本発明は、植栽木を覆うことにより植栽木を鳥獣から保護する植栽木カバーを備える植栽木用保護具に関する。
【背景技術】
【０００２】
従来、植栽木が鳥獣により食い荒らされる鳥獣被害を防止する植栽木用保護具は知られており、既に、本出願人も、このような植栽木用保護具に用いて好適な植栽木用カバーを特許文献１により提案した。
【０００３】
同文献１に開示される植栽木用カバーは、植栽木から取外す作業を不要にして人件費の削減を図るとともに、融通性，汎用性及び使い勝手を高め、また、植栽木の成育環境を良好に維持することを目的としたものであり、具体的には、チューブ状に形成して植栽木を覆う植栽木用カバーを構成するに際して、光崩壊性樹脂と生分解性樹脂を配合し、かつ崩壊に至る期間を植栽木を覆うに必要な年数に調製した混合樹脂により一体成形したものである。
【先行技術文献】
【特許文献】
【０００４】
【特許文献１】特開２０００−６９８６４号公報
【発明の概要】
【発明が解決しようとする課題】
【０００５】
しかし、上述した従来における植栽木用カバー（植栽木用保護具）は、次のような解決すべき課題も存在した。
【０００６】
第一に、この種の植栽木用カバーは、通常、地面に起立させた支柱により支持されるが、安定性を確保するため、少なくとも二か所以上が紐や固定具等により支柱に固定される。したがって、現場の設置作業に時間がかかるなど、設置作業の迅速化及び能率化を高める観点からは更なる改善の余地があった。しかも、シート材を用いることから、サイズや重さが大きくなる傾向があり、携帯性（運搬性）に劣るとともに、設置作業に費やされる労力も無視できない。
【０００７】
第二に、光崩壊性樹脂及び生分解性樹脂を用いるため、使用後に、植栽木から取外す作業が不要になり、この作業に係わる人件費は削減できるものの、反面、回収及び再生（リサイクル）ができないため、資源を節減する観点からはマイナス要因となる。しかも、材料費や製造コスト等により製品コストが高くなる傾向があるため、全体としてのコストアップも無視できない。
【０００８】
本発明は、このような背景技術に存在する課題を解決した植栽木用保護具の提供を目的とするものである。
【課題を解決するための手段】
【０００９】
本発明は、上述した課題を解決するため、植栽木Ｔを覆う植栽木カバー２を具備してなる植栽木用保護具１を構成するに際して、少なくとも、所定の合成樹脂素材Ｒにより形成し、かつ所定のメッシュを有するネット材Ｎを用いて筒形に変形可能に構成したカバー体３の面３ｉの一部を衝合わせ、軸方向Ｆｓに沿って縫合した仕切縫合部４ａを設けることにより、植栽木Ｔを覆う植栽木収容部５ａ及び支持ポール６を挿入するポール収容部５ｂを設けた植栽木カバー２を具備してなることを特徴とする。
【００１０】
この場合、発明の好適な態様により、カバー体３は、一枚のネット材Ｎの両端辺部Ｎｓ…を本体縫合部４ｂにより縫合することにより筒形に構成することができる。また、ポール収容部５ｂは、上端部に、支持ポール６の挿通を阻止する閉塞部１１を設けることができる。さらに、植栽木収容部５ａには、周方向Ｆｆの所定位置に、カバー体３の面３ｉの一部を衝合わせることにより、軸方向Ｆｓに沿って縫合した少なくとも一以上の多重縫合部１２…を設けることができる。他方、植栽木用保護具１には、植栽木カバー２に加え、下部に、地面Ｇに差込む差込部６ｄを有するとともに、上部に、ポール収容部５ｂに挿入可能なポール本体部６ｕを有する支持ポール６を含ませることができ、特に、この支持ポール６の上端には、球面部６ｆを設けることが望ましい。
【発明の効果】
【００１１】
このような構成を有する本発明に係る植栽木用保護具１によれば、次のような顕著な効果を奏する。
【００１２】
（１）  支持ポール６により植栽木カバー２を支持するに際し、当該支持ポール６を、植栽木カバー２に一体に設けたポール収容部５ｂに挿入すれば足りるため、植栽木カバー２の設置作業を極めて容易に行うことができるとともに、使用後における植栽木Ｔからの取外し作業も容易に行うことができる。これにより、設置作業や取外作業の迅速化及び能率化を飛躍的に高めることができるとともに、設置作業や取外作業に費やされる労力の低減にも寄与できる。
【００１３】
（２）  支持ポール６は、植栽木カバー２における長手方向の辺全体に沿って支持できるため、設置時における植栽木カバー２の安定性を確保できる。しかも、植栽木カバー２を支持ポール６に取付けるための紐や固定具等が不要となるため、部品点数の削減による保管や準備等の煩わしさも解消できる。加えて、ネット材Ｎの使用により、サイズや重さを小さくできるため、材料費や製造コストの削減に基づくコストダウン及び携帯性（運搬性）の向上を図れるとともに、通気性や透光性を十分に確保できるという基本的効果も享受できる。
【００１４】
（３）  好適な態様により、カバー体３を構成するに際し、一枚のネット材Ｎの両端辺部Ｎｓ…を本体縫合部４ｂにより縫合することにより筒形に構成すれば、連続したネットロール等を切断して得れる一枚のネット材Ｎを利用することができるため、目的とする筒形のカバー体３を容易かつ低コストに得ることができる。
【００１５】
（４）  好適な態様により、ポール収容部５ｂの上端部に、支持ポール６の挿通を阻止する閉塞部１１を設ければ、いわば、ポケット状のポール収容部５ｂを容易に得ることができるとともに、支持ポール６の起立高さにより、カバー体３の上端部位置を確実かつ正確に規制することができる。
【００１６】
（５）  好適な態様により、植栽木収容部５ａにおける周方向Ｆｆの所定位置に、カバー体３の面３ｉの一部を衝合わせることにより、軸方向Ｆｓに沿って縫合した少なくとも一以上の多重縫合部１２…を設ければ、植栽木収容部５ａにおける多重縫合部１２…を設けた部位の折れにくさを高めることができるため、強風等により植栽木収容部５ａの上部が垂れてしまう不具合を回避することができる。
【００１７】
（６）  好適な態様により、植栽木用保護具１を構成するに際し、植栽木カバー２に加え、下部に、地面Ｇに差込む差込部６ｄを有するとともに、上部に、ポール収容部５ｂに挿入可能なポール本体部６ｕを有する支持ポール６を含ませれば、植栽木カバー２に対して最適な支持ポール６の組み合わせが可能になるため、植栽木カバー２と支持ポール６をセットにしたベストマッチングの植栽木用保護具１を得ることができる。
【００１８】
（７）  好適な態様により、支持ポール６の上端に球面部６ｆを設ければ、支持ポール６をポール収容部５ｂに挿入する際における無用な引っ掛かり等を防止できるため、より円滑かつ迅速な挿入作業（設置作業）を行うことができる。
【図面の簡単な説明】
【００１９】
【図１】本発明の好適実施形態に係る植栽木用保護具の一部抽出拡大図を含む植栽木カバーの正面図、
【図２】同植栽木用保護具の非使用状態における植栽木カバーの模式的平面図、
【図３】同植栽木用保護具の使用状態を示す模式的平面図、
【図４】同植栽木用保護具の支持ポールの一例を示す一部破断正面図、
【図５】同植栽木用保護具の固定ピンの一例を示す正面図、
【図６】同植栽木用保護具の使用方法を説明する第一の設置段階を示す説明図、
【図７】同植栽木用保護具の使用方法を説明する第二の設置段階を示す説明図、
【図８】同植栽木用保護具の使用方法を説明する第三の設置段階を示す説明図、
【図９】同植栽木用保護具に備える支持ポールと植栽木カバーの変更例を示す構成説明図、
【発明を実施するための形態】
【００２０】
次に、本発明に係る好適実施形態を挙げ、図面に基づき詳細に説明する。
【００２１】
まず、本実施形態に係る植栽木用保護具１の構成について、図１〜図５を参照して具体的に説明する。
【００２２】
本実施形態に係る植栽木用保護具１は、大別して、植栽木カバー２，支持ポール６及び二本の固定ピン２１，２１を備え、これが植栽木用保護具１の１セット分となる。
【００２３】
この場合、植栽木カバー２は、本発明の特徴部分（要部）を構成するものであり、図１に示すように、基本的には、所定の合成樹脂素材Ｒにより形成し、かつ所定のメッシュを有するネット材Ｎを用いて筒形に変形可能に構成したカバー体３の面３ｉの一部を、図２に示すように衝合わせ、軸方向Ｆｓに沿って縫合した仕切縫合部４ａを設けることにより、植栽木Ｔを覆う植栽木収容部５ａと、支持ポール６を挿入するポール収容部５ｂとを備えて構成する。
【００２４】
カバー体３は、矩形に切断した一枚のネット材Ｎの両端辺部Ｎｓ…を本体縫合部４ｂにより縫合することにより製造することができる。これにより、偏平に折り畳み可能又は筒形に変形可能なカバー体３を得ることができる。ネット材Ｎを形成する合成樹脂素材Ｒの種類は、特に限定されるものではないが、例えば、透過率の高いポリエチレン樹脂素材等を用いることができる。また、メッシュも特定の大きさに限定されるものではないが、成長時の植栽木Ｔにおける枝の突き抜けを回避するとともに、軽量化及び材料の低コスト化、更には透光性及び通気性などを考慮して選定することができる。例示の網目は、図１に示す一部抽出拡大図のように、４×４〔ｍｍ〕に選定した格子目を用いている。
【００２５】
なお、カバー体３を製造する一枚のネット材Ｎは、予め、上端辺側及び下端辺側を、それぞれ所定幅だけ折り返して二枚重ねとし、上端辺付近及び下端辺付近をそれぞれ紐材Ｋｓ…により縫合することにより補強縫合部３１ｕ，３１ｄを設けることが望ましい。これにより、上端辺側と下端辺側の補強を行うことができる。図１に、下端辺側の補強縫合部３１ｄを一部抽出拡大図により示す。
【００２６】
また、本体縫合部４ｂを設けるに際しては、ネット材Ｎの両端辺部Ｎｓ…同士を重ね合わせた状態で、所定幅だけ折り返して四枚重ねとし、紐材Ｋｃにより縫合することにより設けることができる。なお、この状態はカバー体３を裏返した状態となるため、さらに、この状態から裏返すことにより、基本形態となる筒形のカバー体３を得ることができる。したがって、基本形態の状態では、本体縫合部４ｂがカバー体３の内部に位置することになる。
【００２７】
このように、カバー体３を構成するに際し、一枚のネット材Ｎの両端辺部Ｎｓ…を本体縫合部４ｂにより縫合することにより筒形に構成するようにすれば、連続したネットロール等を切断して得れる一枚のネット材Ｎを利用できるため、目的とする筒形のカバー体３を容易かつ低コストに得ることができる利点がある。
【００２８】
そして、図２及び図３に示すように、本体縫合部４ｂの両側におけるカバー体３の面３ｉの所定位置Ｘｓにより折り返し、本体縫合部４ｂをカバー体３の内部に所定幅だけ突出させるようにして、この所定位置Ｘｓの近傍における四枚重ねの部位を紐材Ｋｒにより縫合して仕切縫合部４ａを設ける。これにより、カバー体３の面３ｉの一部を衝合わせ、軸方向Ｆｓに沿って縫合した仕切縫合部４ａを設けることができる。
【００２９】
この結果、仕切縫合部４ａを境として、植栽木Ｔを覆う幅広となる植栽木収容部５ａと幅狭となるポール収容部５ｂが一体に設けられる。この場合、仕切縫合部４ａと本体縫合部４ｂの間隔Ｌｓ（図１）は、使用する支持ポール６の太さ等を考慮して任意に選定可能である。例示の場合、間隔Ｌｓは、概ね６０〔ｍｍ〕に選定した。
【００３０】
さらに、ポール収容部５ｂの上端部には、支持ポール６の挿通を阻止する閉塞部１１を設ける。具体的には、図１に示すように、ポール収容部５ｂの上端の開口付近を紐材Ｋｘ…により縫合すればよい。このように、ポール収容部５ｂの上端部に、支持ポール６の挿通を阻止する閉塞部１１を設ければ、いわば、ポケット状のポール収容部５ｂを容易に得ることができるとともに、支持ポール６の起立高さにより、カバー体３の上端部位置を確実かつ正確に規制することができる利点がある。
【００３１】
一方、図１に示すように、植栽木収容部５ａにおける周方向Ｆｆの所定位置には、図２に示すように、カバー体３の面３ｉの一部を衝合わせることにより、軸方向Ｆｓに沿って縫合した少なくとも一以上の多重縫合部１２…を設ける。例示の場合、図２に示す折り畳んで偏平にしたカバー体３の全横幅長に対して、ポール収容部５ｂ側から概ね１／３程度の長さ位置における植栽木収容部５ａの両側の面にそれぞれ設けた。例示の場合、カバー体３の面３ｉに設けた多重縫合部１２から突出する長さＬｍは、概ね２０〔ｍｍ〕程度に選定した。また、例示の場合、多重縫合部１２…を設けるに際し、太目の紐材Ｋｍを用意し、この紐材Ｋｍにより縫合した。このような多重縫合部１２…を設ければ、植栽木収容部５ａにおける多重縫合部１２…を設けた部位の折れにくさを高めることができるため、強風等により植栽木収容部５ａの上部が折れ曲がって垂れてしまう不具合を回避できる利点がある。
【００３２】
以上により、図１に示す植栽木カバー２を得ることができる。例示の場合、植栽木カバー２のディメンションは、図２に示すように折り畳んだ状態において、高さ方向（軸方向Ｆｓ）の全長を、概ね１７０〔ｃｍ〕前後に選定するとともに、全横幅長を、概ね４０〔ｃｍ〕前後に選定した。
【００３３】
他方、図４は、支持ポール６を示す。例示の支持ポール６は、材質として、ＦＲＰ（繊維強化プラスチック）を用いるとともに、ディメンションとして、直径を８〔ｍｍ〕，全長を２１０〔ｃｍ〕に選定した。これにより、下部に、地面Ｇに差込む概ね４０〔ｃｍ〕程度となる差込部６ｄを有するとともに、上部に、ポール収容部５ｂに挿入可能な概ね１７０〔ｃｍ〕程度となるポール本体部６ｕを有する。このように、植栽木用保護具１を構成するに際し、植栽木カバー２に加えて支持ポール６を含ませれば、植栽木カバー２に対して最適な支持ポール６の組み合わせが可能になるため、植栽木カバー２と支持ポール６をセットにしたベストマッチングの植栽木用保護具１を得ることができる。
【００３４】
さらに、支持ポール６の上端には球面部６ｆを設ける。例示の場合、別途のキャップ３５を用意し、このキャップ３５を、支持ポール６の上端に接着剤等により装着固定した。キャップ３５は、素材として、ポリスチレン樹脂素材を使用し、先端面（上端面）を半球面に形成した。このように、支持ポール６の上端に、球面部６ｆを設ければ、支持ポール６をポール収容部５ｂに挿入する際における無用な引っ掛かり等を防止できるため、より円滑かつ迅速な挿入作業（設置作業）を行うことができる利点がある。
【００３５】
また、図５は、固定ピン２１を示す。一つの植栽木用保護具１には、少なくとも複数本（例示は二本）の固定ピン２１…を使用することが望ましい。例示の固定ピン２１は、素材として、ポリプロピレン樹脂素材を使用し、一体形成したものである。固定ピン２１は、ピン本体部２１ｍを備え、このピン本体部２１ｍの上端には、植栽木カバー２のメッシュに係止するフック状の係止部３７を一体形成する。なお、ピン本体部２１ｍの中途位置における少なくとも一カ所以上には、地面Ｇに打ち込んだ際における抜け止めを防止する抜止片部３８…を一体に設けることが望ましい。例示の固定ピン２１は、上下位置における左右位置にそれぞれ配した二つの抜止片部３８…を有する。
【００３６】
次に、本実施形態に係る植栽木用保護具１の使用方法（設置方法）について、各図を参照しつつ、図３，図６〜図８に従って説明する。
【００３７】
最初に、１セット分に係る植栽木用保護具１を用意する。本実施形態に係る植栽木用保護具１の１セット分には、植栽木カバー２，支持ポール６及び二本の固定ピン２１，２１が含まれる。
【００３８】
一方、設置する際には、まず、図６に示すように、植栽木Ｔの近傍に支持ポール６を設置する。この場合、支持ポール６を下端側から地面Ｇに差し込み、地中に概ね４０〔ｃｍ〕程度、即ち、支持ポール６の下部における差込部６ｄを地中に埋設する。これにより、残りの部分となる支持ポール６の上部におけるポール本体部６ｕが地面Ｇから上方へ起立させることができる。この起立する長さは、概ね１７０〔ｃｍ〕となり、植栽木カバー２の全長とほぼ同じになる。
【００３９】
次いで、図６に示すように、植栽木カバー２のポール収容部５ｂを支持ポール６の上端部に装着し、植栽木カバー２の下端を下方へ引張る。これにより、支持ポール６は上端からポール収容部５ｂの内部に進入する。この際、支持ポール６の上端には球面部６ｆを設けてあるため、支持ポール６をポール収容部５ｂの内部へ容易に挿入させることができる。即ち、支持ポール６の先端が植栽木カバー２の網目に引掛かることがなくなり、ポール収容部５ｂに対する支持ポール６の円滑かつ迅速な挿入作業（設置作業）を行うことができる。
【００４０】
そして、最終挿入位置となる支持ポール６の上端がポール収容部５ｂの閉塞部１１に当接する位置で規制される。また、植栽木カバー２を支持ポール６に装着する際には、植栽木カバー２の植栽木収容部５ａの内部に植栽木Ｔを収容させる。この状態を図７に示す。この状態では、支持ポール６の起立高さに、カバー体３の上端部位置が確実かつ正確に規制される。
【００４１】
支持ポール６に対する植栽木カバー２の装着が終了したなら、植栽木カバー２の下端部を二本の固定ピン２１，２１を用いて地面Ｇに固定する。この場合、図３に示すように、植栽木カバー２の下端開口を三角状に広げ、広げた二つの角部付近の地面Ｇに固定ピン２１，２１をそれぞれ打ち込み、各固定ピン２１，２１の係止部３７，３７を植栽木カバー２の網目に差し込んで固定する。この状態を図８に示す。
【００４２】
これにより、本実施形態に係る植栽木用保護具１の設置が終了する。なお、設置後は、植栽木カバー２に、多重縫合部１２…を設けてあるため、強風等により植栽木収容部５ａの上部が折れ曲がって垂れてしまう不具合が回避される。
【００４３】
よって、このような本実施形態に係る植栽木用保護具１によれば、基本的な構成として、少なくとも、所定の合成樹脂素材Ｒにより形成し、かつ所定のメッシュを有するネット材Ｎを用いて筒形に変形可能に構成したカバー体３の面３ｉの一部を衝合わせ、軸方向Ｆｓに沿って縫合した仕切縫合部４ａを設けることにより、植栽木Ｔを覆う植栽木収容部５ａ及び支持ポール６を挿入するポール収容部５ｂを設けた植栽木カバー２を具備してなるため、支持ポール６により植栽木カバー２を支持する場合であっても、当該支持ポール６を、植栽木カバー２に一体に設けたポール収容部５ｂに挿入すれば足りるため、植栽木カバー２の設置作業を極めて容易に行うことができるとともに、使用後における植栽木Ｔからの取外し作業も容易に行うことができる。これにより、設置作業や取外作業の迅速化及び能率化を飛躍的に高めることができるとともに、設置作業や取外作業に費やされる労力の低減にも寄与できる。
【００４４】
また、支持ポール６は、植栽木カバー２における長手方向の辺全体に沿って支持することができるため、設置時における植栽木カバー２の安定性を確保できる。しかも、植栽木カバー２を支持ポール６に取付けるための紐や固定具等が不要となるため、部品点数の削減による保管や準備等の煩わしさも解消できる。加えて、ネット材Ｎの使用により、サイズや重さを小さくできるため、材料費や製造コストの削減に基づくコストダウン及び携帯性（運搬性）の向上を図れるとともに、通気性や透光性を十分に確保できるという基本的効果も享受できる。
【００４５】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４６】
例えば、支持ポール６及び植栽木カバー２は、図９（ａ）〜（ｃ）に示すような各種変更例により実施可能である。図９（ａ）及び（ｂ）は、支持ポール６の上端に、球面部６ｆを設ける際の変更例を示す。図９（ａ）は、支持ポール６の上端面６ｕｓを、直接、半球面に形成し、当該上端面６ｕｓ自体を球面部６ｆにしたものである。したがって、この変更例では、図４に示したキャップ３５が不要となる。また、図９（ｂ）は、図４に示したキャップ３５の代わりに、球体のキャップ３５ｅを用いたものである。したがって、この変更例では、球面部６ｆの径をより大きくすることができるため、図４に示したキャップ３５と比較した場合、より円滑かつ迅速な挿入作業（設置作業）を行うことができる。このように、支持ポール６は、各種形態により実施可能である。
【００４７】
一方、図９（ｃ）は、植栽木カバー２の変更例を示す。図９（ｃ）に示す植栽木カバー２は、相対的に大きい網目（例えば、４×４〔ｍｍ〕の格子目）の上カバー２ｕｅと相対的に小さい網目（例えば、２×２〔ｍｍ〕の格子目）の下カバー２ｄｅを繋ぎ目４１を介して結合したものである。このように、植栽木カバー２も、植栽木Ｔの種類や成長等にマッチングするように、各種形態により実施可能である。なお、図９（ａ）〜（ｃ）における図１〜図４と同一部分には同一符号を付し、その構成を明確にするとともに、その詳細な説明は省略する。
【００４８】
さらに、本発明に係る植栽木用保護具１は、少なくとも、植栽木カバー２を具備すれば足り、支持ポール６及び固定ピン２１…は、同様の機能を有する他の各種部材を利用できる。その他、カバー体３は、一枚のネット材Ｎの両端辺部Ｎｓ…を本体縫合部４ｂにより縫合することにより筒形に構成することができるが、筒形のカバー体３を一体成形する場合を排除するものではない。また、植栽木収容部５ａに、二つの多重縫合部１２…を設けた場合を示したが、設ける数量や位置は適宜選定できるとともに、紐材１３により縫合するか否かも任意である。加えて、多重縫合部１２は、二枚重ねにした場合を例示したが、ジグザグ状に折った所定数の多重態様であってもよい。
【産業上の利用可能性】
【００４９】
本発明は、森林等における各種植栽木を覆うことにより植栽木を鳥獣から保護する植栽木用保護具として利用できる。
【符号の説明】
【００５０】
１：植栽木用保護具，２：植栽木カバー，３：カバー体，３ｉ：カバー体の面，４ａ：仕切縫合部，４ｂ：本体縫合部，５ａ：植栽木収容部，５ｂ：ポール収容部，６：支持ポール，６ｄ：差込部，６ｕ：ポール本体部，６ｆ：球面部，１１：閉塞部，１２…：縫合形成部，１３：紐材，Ｔ：植栽木，Ｒ：合成樹脂素材，Ｎ：ネット材，Ｎｓ…：ネット材の両端辺部，Ｆｓ：軸方向，Ｆｆ：周方向，Ｇ：地面
【図１】
2018143181.tif 000003
【図２】
2018143181.tif 000004
【図３】
2018143181.tif 000005
【図４】
2018143181.tif 000006
【図５】
2018143181.tif 000007
【図６】
2018143181.tif 000008
【図７】
2018143181.tif 000009
【図８】
2018143181.tif 000010
【図９】
2018143181.tif 000011